(57)【特許請求の範囲】
【請求項１】
ポインタと、
ポインタ移動及び選択信号を送信するように適応化された第１の無線装置と通信する制御プログラム手段と、
前記制御プログラム手段を活動化する手段と、
前記ポインタ移動及び選択信号を横取りする手段と、
前記選択信号に応答して、クライアント装置からホスト装置に第１の情報内容を伝達する第１の手段とを含む前記クライアント装置と、
ホスト装置であって、
表示装置と、
前記クライアント装置から前記ポインタ移動及び選択信号を受信するように適応化された第２の無線装置と通信するホスト側制御プログラム手段とを含み、前記ホスト側制御プログラム手段が、
前記クライアント装置に関連付けられるポインタを前記ホスト装置のポインタと区別して表示する手段と、
前記ポインタが表示される位置を解釈する手段と、
前記ポインタ移動及び選択信号に応答して、前記表示装置上の１つ以上の位置を突き止め、選択する手段と、
前記選択信号に応答して、前記ホスト装置から前記クライアント装置に第２の情報内容を伝達する第２の手段とを含む
前記ホスト装置と
を含む通信システム。
【請求項２】
前記選択信号が前記表示装置上の内容の領域を選択する領域選択信号を含み、それにより内容の前記領域が、前記ホスト装置から前記クライアント装置への通信のために選択されることを更に特徴とする請求項１記載の通信システム。
【請求項３】
内容の前記領域が１つ以上のオブジェクトを含むことを更に特徴とする請求項２記載の通信システム。
【請求項４】
前記選択信号が前記表示装置上の挿入ポイントを選択する挿入ポイント選択信号を含み、それにより前記挿入ポイントが、前記クライアント装置から前記ホスト装置に伝達される内容の挿入位置をマークするために使用されることを更に特徴とする請求項１記載の通信システム。
【請求項５】
前記ポインタ移動及び選択信号がポインタ装置の移動に応答して生成されることを更に特徴とする請求項１乃至請求項４のいずれかに記載の通信システム。
【請求項６】
前記ポインタ移動及び選択信号がキーボードのキーストロークに応答して生成されることを更に特徴とする請求項１乃至請求項４のいずれかに記載の通信システム。
【請求項７】
前記ポインタ移動及び選択信号がタッチスクリーン上で実行される操作に応答して生成されることを更に特徴とする請求項１乃至請求項４のいずれかに記載の通信システム。
【請求項８】
前記無線装置がＩｒＤＡ装置を含むことを更に特徴とする請求項１乃至請求項７のいずれかに記載の通信システム。
【請求項９】
表示装置と、
クライアント装置からポインタ移動及び選択信号を横取りし受信するように適応化された無線装置と通信するホスト制御プログラム手段と、
前記クライアント装置に関連付けられるポインタをホスト装置のポインタと区別して表示する手段と、
前記ポインタ移動及び選択信号に応答して、前記ポインタが表示される位置を解釈して前記表示装置上の１つ以上の位置を突き止め、選択する手段と、
前記選択信号に応答して、前記ホスト装置から前記クライアント装置に情報内容を伝達する手段と
を含むホスト装置。
【請求項１０】
前記無線装置がＩｒＤＡ装置を含むことを更に特徴とする請求項９記載の装置。
【請求項１１】
通信システムにおいて無線装置を用いて情報内容を伝達する方法であって、
ポインタ移動及び選択信号を送信するように適応化された第１の無線装置と通信する制御プログラム手段を含むクライアント装置において前記制御プログラム手段を起動して、ポインタ移動及び選択信号を横取りして、前記ポインタ移動及び選択信号を送信し、
前記クライアント装置から前記ポインタ移動及び選択信号を受信するように適応化された第２の無線装置と通信するホスト側制御プログラム手段を含むホスト装置において、前記ホスト側制御プログラム手段を起動して、前記ポインタ移動及び選択信号を受信し、
前記クライアントに関連付けられるポインタを前記ホストのポインタと区別して表示し、
前記ポインタが表示される位置を解釈し、
前記ポインタ移動信号及び選択信号に応答して、前記ホストにおいて表示装置上の１つ以上の位置を突き止め、選択し、
前記選択信号に応答して、前記ホストから前記クライアントに情報内容を伝達する
ステップを含む方法。
【請求項１２】
通信システムのためのコンピュータ・プログラムを記録したコンピュータ可読な記録媒体であって、
クライアント装置からポインタ移動及び選択信号を受信するように適応化された無線装置と通信するホスト側制御プログラム手段を含むホスト装置において、前記ホスト側制御プログラム手段を起動し、
前記ポインタ移動及び選択信号を受信し、
前記クライアントに関連付けられるポインタを前記ホストのポインタと区別して表示し、
前記ポインタが表示される位置を解釈し、
前記ポインタ移動信号及び選択信号に応答して、前記ホストにおいて表示装置上の１つ以上の位置を突き止め、選択し、
前記選択信号に応答して、前記ホストから前記クライアントに情報内容を伝達する
ステップをコンピュータに実行させるためのコンピュータ可読なプログラムを記録したコンピュータ可読な記録媒体。
【発明の詳細な説明】
【０００１】
【発明の属する技術分野】
本発明は、クライアント及びホストが互いに通信する通信コンピュータ・システムの分野に関する。
【０００２】
【従来の技術】
データ処理の分野では、グラフィカル・ユーザ・インタフェースが標準となり、コンピュータ・システムの使い易さに多大に貢献している。コンピュータ機能は、屋内電気機器のレベルをも含む他の装置にも組み込まれるようになり、こうしたインタフェースは至る所で見られるようになった。特に現在では、ほとんどのパーソナル・コンピュータが、ユーザ・インタフェースにおいてオブジェクトを操作するために、グラフィカル・ウィンドウ環境及びデスクトップまたは他のリアル・ワールド・メタフォを採用している。こうしたグラフィカル・ユーザ・インタフェースにおいて一般に実装される１つの機能は、あるアプリケーションからオブジェクトをコピーまたは切り取り、別のアプリケーションに張り付ける（すなわちペースト）機能である。ここでは便宜上、ワード・オブジェクトが、任意のタイプのデータ含有オブジェクトを意味するために使用され、それらにはテキスト、グラフィックス、サウンドまたは任意のハイパメディアが含まれる。
【０００３】
"コピー・アンド・ペースト"機能は、全てのコンピュータ・ユーザにとって、効率を改善するための革新的なステップであった。マウスを用いて画面上の情報を指し示し、選択することにより、コンピュータの記憶装置内のクリップボードにコピーされ、続いて同一のコンピュータ上で実行される異なるセッションにペーストされるオブジェクトを、容易にマークできるようになった。また、クリップボード記憶装置の内容を、ネットワーク内のあるコンピュータから、別のコンピュータに送信することが可能であり、従って、あるコンピュータのセッションから別のコンピュータのセッションに、間接的にコピー・アンド・ペーストすることができる。
【０００４】
両者の場合において、コピーされるマテリアルは、ユーザのアプリケーション・セッションから、コンピュータの記憶装置内のシステム所有のクリップボード記憶領域に渡される。前者の場合、それは同一のコンピュータ内の別のアプリケーション・セッションにより検索される。後者の場合、第１のコンピュータ内のクリップボード記憶の内容がデータ・ストリームとして、ネットワーク内の第２のコンピュータのクリップボード記憶に転送される。そして、そのクリップボード記憶から、第２のコンピュータ内のアプリケーション・セッションが通常の"ペースト"操作により、マテリアルを検索する。
【０００５】
【発明が解決しようとする課題】
本発明は、ネットワーク接続またはケーブル配線の定義済みセットを使用することなく、またホスト・コンピュータのユーザ側の積極的な送信操作無しに、データを好適にはクリップボード形式で、ホスト・コンピュータから物理的に別のクライアントに転送する方法を提供する。例えば、ホスト・コンピュータからデータを獲得し、それを物理的に別のハンドヘルド装置（例えばパーソナル・デジタル・アシスタントすなわちＰＤＡ）に記憶して、後にＰＤＡまたは他のターゲット・コンピュータにおいて使用するために、本発明が使用される多くの状況が存在する。例えば、本発明は、ホスト・コンピュータとＰＤＡ間のネットワーク接続をセットアップ及び定義する必要なく、公共図書館または展示会において、後の検索のために画面から表示情報を記憶するために使用され得る。
【０００６】
【課題を解決するための手段】
第１の態様では、本発明は、ポインタと、ポインタ移動及び選択信号を送信するように適応化された第１の無線装置と通信する制御プログラムと、前記選択信号に応答して、クライアント装置とホスト装置間で情報内容を伝達する第１の手段とを含むをクライアント装置と、表示装置と、前記クライアント装置から前記ポインタ移動及び選択信号を受信するように適応化された第２の無線装置と通信する制御プログラムと、前記信号に応答して、前記表示装置上の１つ以上の位置を突き止め、選択する手段と、前記選択信号に応答して、前記クライアント装置と前記ホスト装置間で情報内容を伝達する第２の手段とを含むホスト装置を含む通信システムを提供する。
【０００７】
第１の態様の通信システムは、好適には更に、内容の前記領域が１つ以上のオブジェクトを含むという点で、特徴付けられる。
【０００８】
第１の態様の通信システムは、好適には更に、前記選択信号が前記表示装置上の内容の領域を選択する領域選択信号を含み、それにより内容の前記領域が、前記ホストから前記クライアントへの通信のために選択されるという点で、特徴付けられる。
【０００９】
好適には、通信システムは更に、前記選択信号が前記表示装置上の挿入ポイントを選択する挿入ポイント選択信号を含み、それにより前記挿入ポイントが、前記クライアントから前記ホストに伝達される内容の挿入位置をマークするために使用されるという点で、特徴付けられる。
【００１０】
また、前述の通信システムは、好適には更に、前記ポインタ移動及び選択信号がポインタ装置の移動、キーボードのキーストローク、またはタッチスクリーン上で実行される操作に応答して生成される点で、特徴付けられる。
【００１１】
前述の通信システムは更に、前記無線装置がＩｒＤＡ装置を含むという点で、特徴付けられる。
【００１２】
第２の態様では、本発明は、ポインタと、ポインタ移動及び選択信号を送信するように適応化された無線装置と通信する制御プログラムと、前記選択信号に応答して、クライアント装置とホスト装置間で情報内容を伝達する手段とを含むクライアント装置を提供する。
【００１３】
第３の態様では、本発明は、表示装置と、クライアント装置からポインタ移動及び選択信号を受信するように適応化された無線装置と通信する制御プログラムと、前記信号に応答して、前記表示装置上の１つ以上の位置を突き止め、選択する手段と、前記選択信号に応答して、クライアント装置とホスト装置間で情報内容を伝達する手段とを含むホスト装置を提供する。
【００１４】
第２及び第３の態様の装置は、好適には更に、前記無線装置がＩｒＤＡ装置であるという点で、特徴付けられる。
【００１５】
第４の態様では、本発明は、通信システムにおいて無線装置を用いて情報内容を伝達する方法を提供する。この方法は、クライアントにより、ポインタ移動及び選択信号を送信し、ホストにより、前記ポインタ移動及び選択信号を受信し、前記ポインタ移動信号及び選択信号に応答して、前記ホストにおいて表示装置上の１つ以上の位置を突き止め、選択し、前記選択信号に応答して、前記クライアントと前記ホスト間で情報内容を伝達するステップを含む。
【００１６】
第５の態様では、本発明は、クライアントに無線手段により、ポインタ移動及び選択信号をホストに送信させ、前記ポインタ移動信号及び前記選択信号に応答して、前記クライアント及び前記ホストに突き止めさせ、無線手段により、前記クライアントと前記ホスト間で情報内容を伝達させるコンピュータ・プログラム・ステップを含む、通信システムのためのコンピュータ・プログラムを提供する。
【００１７】
第６の態様では、本発明は、ホストに無線手段により、クライアントからポインタ移動及び選択信号を受信させ、前記ポインタ移動信号及び前記選択信号に応答して、前記クライアント及び前記ホストに突き止めさせ、無線手段により、前記クライアントと前記ホスト間で情報内容を伝達させるコンピュータ・プログラム・ステップを含む、通信システムのためのコンピュータ・プログラムを提供する。
【００１８】
【発明の実施の形態】
図１では、パーソナル・デジタル・アシスタント（ＰＤＡ）など（例えばノキア９０００コミュニケータ）のクライアント装置１０４と、ホスト装置１１６とを含む通信システム１０２が示される。クライアント１０４及びホスト１１６は、例えばＩｒＤＡポート１１４、１２０により、無線で通信するように適応化される。コンピュータ装置間の通信のための赤外線信号の使用は公知であり、赤外線データ通信標準化団体（ＩｒＤＡ）により定義された幾つかの規格の主題である。クライアント１０４とホスト１１６間の通信は、既知のタイプの通信サブシステムの１つ１０８、１２２により制御され、これは特定用途向け集積回路（ＡＳＩＣ）チップなどのハードウェア内に埋め込まれるか、プログラマブル装置内のソフトウェア・プログラム要素である。ホスト１１６は、情報を表示する表示装置１１８、及び表示内容を制御する制御プログラム１３０を有する。制御プログラム１３０は制御メッセージに応答して、テキスト、グラフィックス、及びマウス・カーソルやドラッグされた選択境界などのエンティティの表示を制御するために使用される。（ドラッグされた選択境界は、通常マウスの左ボタンが押された状態で、マウス移動に応答して、表示画面上のある内容の回りに引かれる境界である。）クライアント１０４は記憶装置１０６、ポインタ制御１１０、及びポインタ制御１１０からメッセージを受信するように適応化される制御プログラム１１２を提供される。
【００１９】
クライアント１０４は、ポインタ制御１１０、制御プログラム１１２、通信サブシステム１０８及びＩｒＤＡポート１１４の組み合わせにより、画面ポインタ移動及び選択メッセージを作成し、ホスト１１６に送信するように適応化される。
【００２０】
より詳細について、図１、図２及び図３を参照しながら、好適な実施例の動作シーケンスについて述べる。ユーザはクライアント上の制御プログラム１１２を活動化する。制御プログラムはユーザに、コピー・アンド・ペーストのオプションを提供する。ユーザは例えば、コピー・オプションを選択する。制御プログラムはこの時、ポインタの制御を有する。ポインタ制御１１０は制御プログラム１１２と通信し、これはユーティリティ・プログラムまたは組み込みサブシステムとして、クライアント内に組み込まれ、ポインタ移動及び選択に関する制御信号のセットにより、可視的な（または有形の）ポインタの制御を提供する。制御プログラム１１２は、ポインタ移動及び選択信号がクライアントのオペレーティング・システムの正規のデバイス・ポインタ機能に渡される前に、それらの通信を横取りするか、ポインタ機能の制御を仮定して、オペレーティング・システム上で、別のアプリケーションとして実行される。いずれの場合にも、制御プログラム１１２は、ポインタが表示される位置（ｘ及びｙ座標、または他の好適な形式）を識別するポインタ・メッセージ、及び"ボタン"操作（マウス・ボタンのクリック及びボタン・ダウン操作に等価）を識別するメッセージを解釈する機能を提供する。
【００２１】
クライアント１０４は、制御プログラム１１２によるポインタの制御の取得に応答して、通信サブシステム１０８を活動化することにより、ホスト１１６への通信リンクを獲得する。クライアント１０４は次に、画面ポインタ開始メッセージをホスト１１６に送信する。ホスト１１６は、ＩｒＤＡポート１２０及び通信サブシステム１２２を介してメッセージを受信し、ポインタ１２８を表示する。クライアント１０４は同一の通信機構を用いて、画面ポインタ移動メッセージをホスト１１６に送信し、ホスト１１６は表示装置１１８内でポインタ１２８を移動することにより応答する。ユーザはデータを表示装置１１８からコピーするように決定し、例えばマウス・ボタンなどを押すことにより、ポインタ制御１１０を活動化する。それに応答して、制御プログラム１１２は前述の通信機構を用いて、選択信号をクライアント１０４からホスト１１６に送信する。ホスト１１６は選択信号を受信し、境界１２４を表示装置１１８上の選択画面領域の周囲に表示する。好適な実施例では、境界はクライアントのポインタを選択領域の１つの隅から筋向かいの隅に向けて、制御ボタンを押し続けながら対角方向に移動することにより生成される。制御ボタンを解除すると、境界の区画が完了し、"データ獲得"信号をホストに送信する。ホストは次に、選択領域の内容をクライアントに送信し始める。これを達成するために、好適な実施例では、ホストは通常のコピー操作において選択されるデータを変換する場合同様、有界領域の内容をクリップボード・データ形式に変換する。内容が次にクリップボード形式で送信される。或いは、クライアント及びホストのオペレーティング・システム環境に応じて、任意の好適なデータ形式が使用され得る。
【００２２】
前述の説明から明らかなように、ホストは、あたかもクライアントのポインタ信号が、ホストに接続されるマウスなどからのローカル・ポインタ信号のように作用する。好適な実施例におけるユーザの操作は、グラフィカル・ユーザ・インタフェース及びマウス・ポインタを用いて、通常のコピー・アンド・ペースト操作を実行したことのあるユーザにとって親しみやすい。
【００２３】
前述の境界マーキング及び"データ獲得"信号の組み合わせの代替例として、ユーザは任意の他の方法を用いて、"データ獲得"信号をホスト１１６に送信するためのクライアント１０４上の機能を活動化できる。例えば、"マーク"・キー及び"境界"キーが、選択領域の筋向かいの隅を定義するために使用され、次に"送信"キーが"データ獲得"信号を送信するために使用され得る。
【００２４】
いずれの場合にも、"データ獲得"信号に応答して、ホスト１１６は選択画面領域の内容をクライアント１０４に送信し、クライアント１０４は獲得された内容をその記憶装置１０６に記憶する。クライアント装置がＰＤＡの場合、内容または内容の一部がＰＤＡの画面上に表示されて、使用される。それはまた、データが通常ＰＤＡとパーソナル・コンピュータとの間で転送されるように、例えばデータ・ファイル転送プログラム及び接続ケーブルの使用により、別のコンピュータに転送され得る。
【００２５】
或いは、情報をクライアントからホストに転送するために、第２の実施例が使用され得る。これについて、図１及び図３を参照しながら次に述べる。ユーザは制御プログラム１１２を活動化し、これが前述のように、コピー・アンド・ペースト機能を提供し、ポインタ制御信号を横取りする。クライアント１０４は、通信サブシステム１０８を活動化することにより、ホスト１１６への通信リンクを獲得することにより応答する。クライアント１０４は次に、画面ポインタ開始メッセージをホスト１１６に送信する。ホスト１１６は、ＩｒＤＡポート１２０及び通信サブシステム１２２を介してメッセージを受信し、ポインタ１２８を表示する。クライアント１０４は同一の通信機構を用いて、画面ポインタ移動メッセージをホスト１１６に送信し、ホスト１１６は表示装置１１８内でポインタ１２８を移動することにより応答する。ユーザはデータをクライアント１０４上の記憶装置１０６から、ホスト１１６上の表示装置１１８にコピーするように決定する。ユーザがポインタ・ボタン操作などを使用すると、これが制御プログラム１１２により横取りされて、挿入ポイント選択信号がクライアント１０４からホスト１１６に伝送される。ホスト１１６は挿入ポイント選択信号を受信する。この操作は、記憶装置１０６からの内容の送信を自動的にトリガする。或いは、ユーザが記憶装置１０６から内容を選択し、選択内容をホスト１１６に送信する機能をクライアント１０４上で活動化する。選択内容の受信に応答して、ホスト１１６は表示装置１１８上の挿入ポイントの後に、選択内容を表示する。
【００２６】
前述の好適な実施例に加え、更に実施され得る追加の改良が存在する。１つのこうした改良は、主カーソル・ポインタを有するシステムのユーザの混乱を回避するために、クライアントに関連付けられる画面ポインタは、従来のグラフィカル・ユーザ・インタフェース内で見いだされる従来のマウス・ポインタ・カーソルとは、視覚的に異なるべきである。全てのホストがこうした主カーソル・ポインタを有する訳ではないが、こうした主カーソル・ポインタを有するホストでは、クライアントのポインタをホストの基本カーソル・ポインタから区別することが好ましい。また、複数のユーザが同一のホストから情報を獲得する状況において便利なように、複数のクライアントの各々に関連付けられる画面ポインタが、固有に識別可能であるべきである。これは例えば、テキスト・ラベルを各ポインタに関連付けたり、各クライアント装置にこの機能のための固有のポインタを提供したり、或いはユーザにポインタ形状、色または他の特徴の選択を提供することにより達成される。可能な改良の更に別の例として、ポインタがポインタまたはカーソルを制御する任意の使用可能な手段により制御され得る。これは例えばトラックポイントによるか、或いはＰＤＡのタッチスクリーン機能を用いて、ユーザ操作のためのカーソル矢印ボタンを提供することによる。同様に、ＰＤＡのタッチスクリーンはホスト画面の縮小表現を示したり、ユーザが指やスタイラスなどを用いて、所望の内容の領域を直接縮小表現で描くことを可能にする。
【００２７】
更に、例えば、ホスト１１６はコピー機能を許可または禁止（ロック）する能力を提供され、表示装置１１８の内容がハンドヘルド装置により獲得されるのを阻止することができる。これはホスト１１６の所有者がコピーされたくないデータのセキュリティのために、またマテリアルの著作権の侵害を阻止する手段として望ましい。これはシステム全体のレベル、プログラム・レベル、またはファイル・レベルにおいてさえ、実行が可能である。これらの全ては、ホスト１１６における従来のアクセス及び許可制御の拡張により、容易に達成され得る。
【００２８】
クライアント装置１０４はまた、ユーザ識別を有するように拡張され得る。ユーザ識別は、ホスト１１６がクライアント装置にどのように応答するかを決定するために、また誰が何をコピーする権限を有するかを選択するために、チェックされる。こうした識別子の更に別の可能な使用は、こうしたクライアント−ホスト・コピー技術を用いて獲得される情報に対する代金を、ユーザに請求する手段として作用することである。
【００２９】
更に別の改良は、システム上に保管するために送信されるデータの量及び通信帯域幅を制限することである。大量のデータの伝送は非効率的であり、たくさんの時間を消費し得る。所望の情報がどこか別の所で入手可能な場合、クライアント装置またはホスト・コンピュータのいずれかにおいて、所望の情報のアドレスだけを送信するように決定できるべきである。これは特に、ワールド・ワイド・ウェブ上で入手可能な情報に対して有用である。この場合、ＵＲＩ（ユニバーサル・リソース識別子）、すなわちブラウザを用いてワールド・ワイド・ウェブ上の情報を突き止める手段を送信するだけで十分である。ユーザはこれにより、クライアント上でコピー機能を活動化でき、コピー機能がホストからＵＲＩを受信し、それを記憶する。後のステージでは、ユーザは前述の任意の手段を用いて、ＵＲＩを第２のコンピュータに転送し、次にブラウザを用いて、獲得されたＵＲＩにより識別されるワールド・ワイド・ウェブ上の位置に記憶される情報をアクセスする。もちろん、参照アドレスにおけるテキストまたは情報の一部だけがマークされる場合、コピーされるように要求される部分を示す追加の情報が、アドレスと一緒に送信されることが望ましいかもしれない。
【００３０】
ホストはまた、選択領域の全データ内容、または単にこのクライアント−ホスト・コピー機能のために特別に設計され、作成された要約テキストまたはデータをコピーする機能を提供し得る。
【００３１】
通信が別のユーザ操作により、または例えば偶発的な光または日光によるＩｒＤＡ伝送の妨害により中断されるとき、ユーザは伝送を再始動または再開する可能性を与えられるべきである。
【００３２】
いずれの場合にも、クライアント・コンピュータが情報をコピーまたはペーストするために、ホスト上において、無線通信ポートを除き、キーボード、通常のマウス、または任意の他の入力用周辺装置へのアクセスは要求されない。このことは、本発明を使用することにより、例えばショー・ウィンドウの背後または展示会において、画面から興味深いテキストまたはグラフィックスの一部をコピーできることを意味する。更に別の変形では、適切にプログラムされたセットトップ・ボックスを有するデジタル・テレビが、ホスト装置として使用され得る。原則的には、クライアント装置はユーザが記憶しておきたいどんなことでも記憶し、ことによると、それら自身のコンピュータに転送する。
【００３３】
まとめとして、本発明の構成に関して以下の事項を開示する。
【００３４】
（１）ポインタと、ポインタ移動及び選択信号を送信するように適応化された第１の無線装置と通信する制御プログラムと、前記選択信号に応答して、クライアント装置とホスト装置間で情報内容を伝達する第１の手段とを含む前記クライアント装置と、
表示装置と、前記クライアント装置から前記ポインタ移動及び選択信号を受信するように適応化された第２の無線装置と通信する制御プログラムと、前記信号に応答して、前記表示装置上の１つ以上の位置を突き止め、選択する手段と、前記選択信号に応答して、前記クライアント装置と前記ホスト装置間で情報内容を伝達する第２の手段とを含むホスト装置と
を含む通信システム。
（２）前記選択信号が前記表示装置上の内容の領域を選択する領域選択信号を含み、それにより内容の前記領域が、前記ホストから前記クライアントへの通信のために選択されることを更に特徴とする前記（１）記載の通信システム。
（３）内容の前記領域が１つ以上のオブジェクトを含むことを更に特徴とする前記（２）記載の通信システム。
（４）前記選択信号が前記表示装置上の挿入ポイントを選択する挿入ポイント選択信号を含み、それにより前記挿入ポイントが、前記クライアントから前記ホストに伝達される内容の挿入位置をマークするために使用されることを更に特徴とする前記（１）記載の通信システム。
（５）前記ポインタ移動及び選択信号がポインタ装置の移動に応答して生成されることを更に特徴とする前記（１）乃至（４）のいずれかに記載の通信システム。
（６）前記ポインタ移動及び選択信号がキーボードのキーストロークに応答して生成されることを更に特徴とする前記（１）乃至（４）のいずれかに記載の通信システム。
（７）前記ポインタ移動及び選択信号がタッチスクリーン上で実行される操作に応答して生成されることを更に特徴とする前記（１）乃至（４）のいずれかに記載の通信システム。
（８）前記無線装置がＩｒＤＡ装置を含むことを更に特徴とする前記（１）乃至（７）のいずれかに記載の通信システム。
（９）ポインタと、
ポインタ移動及び選択信号を送信するように適応化された無線装置と通信する制御プログラムと、
前記選択信号に応答して、前記クライアント装置とホスト装置間で情報内容を伝達する手段と
を含むをクライアント装置。
（１０）表示装置と、
クライアント装置からポインタ移動及び選択信号を受信するように適応化された無線装置と通信する制御プログラムと、
前記信号に応答して、前記表示装置上の１つ以上の位置を突き止め、選択する手段と、
前記選択信号に応答して、クライアント装置とホスト装置間で情報内容を伝達する手段と
を含むホスト装置。
（１１）前記無線装置がＩｒＤＡ装置を含むことを更に特徴とする前記（９）または（１０）記載の装置。
（１２）通信システムにおいて無線装置を用いて情報内容を伝達する方法であって、
クライアントにより、ポインタ移動及び選択信号を送信し、
ホストにより、前記ポインタ移動及び選択信号を受信し、
前記ポインタ移動信号及び選択信号に応答して、前記ホストにおいて表示装置上の１つ以上の位置を突き止め、選択し、
前記選択信号に応答して、前記クライアントと前記ホスト間で情報内容を伝達する
ステップを含む方法。
（１３）通信システムのためのコンピュータ・プログラムであって、
クライアントに無線手段により、ポインタ移動及び選択信号をホストに送信させ、
前記ポインタ移動信号及び前記選択信号に応答して、前記クライアント及び前記ホストに突き止めさせ、無線手段により、前記クライアントと前記ホスト間で情報内容を伝達させる
コンピュータ・プログラム・ステップを含むコンピュータ・プログラム。
（１４）通信システムのためのコンピュータ・プログラムであって、
ホストに無線手段により、クライアントからポインタ移動及び選択信号を受信させ、
前記ポインタ移動信号及び前記選択信号に応答して、前記クライアント及び前記ホストに突き止めさせ、無線手段により、前記クライアントと前記ホスト間で情報内容を伝達させる
コンピュータ・プログラム・ステップを含むコンピュータ・プログラム。
【図面の簡単な説明】
【図１】本発明の好適な実施例に従うクライアント−ホスト通信システムを示す図である。
【図２】本発明の好適な実施例に従う処理方法の一部のプロセス・チャートである。
【図３】本発明の好適な実施例に従う処理方法の別の部分のプロセス・チャートである。
【符号の説明】
１０２  通信システム
１０４  クライアント装置
１０６  記憶装置
１０８、１２２  通信サブシステム
１１０  ポインタ制御
１１２  制御プログラム
１１４、１２０  ＩｒＤＡポート
１１６  ホスト装置
１１８  表示装置
１２４  境界
１２８  ポインタ
１３０  制御プログラム
【図１】
0004267186.tif 000002
【図２】
0004267186.tif 000003
【図３】
0004267186.tif 000004